(57)【要約】  リクエストに応じたマルチメディアサービスは、それぞれが少なくとも１つのプログラムフロー及びインタラクティブ性情報ファイルを具備している、マルチメディアデータソース（３）によって提供される。ソースのプログラムフローは、遠隔通信ネットワーク手段によってユーザ端末に転送されるトランスポートフローに変換される。サービスプラットフォームは、遠隔通信ネットワークを経由してユーザからインタラクションオーダを収集し、かつ、転送されたトランスポートフローを制御するために、ソースのインタラクティブ性情報ファイルに関連してこれらのオーダを処理する。
2009520423.tif 000002
【特許請求の範囲】
【請求項１】
それぞれが少なくとも１つのプログラムストリーム及びインタラクティブ性情報ファイルを具備するマルチメディアデータソース（３）から、オンデマンドマルチメディアサービスを提供する方法であって、
少なくとも１つのソースからのプログラムストリームをトランスポートストリームに変換するステップと、
遠隔通信ネットワークを経由して、前記トランスポートストリームをユーザ端末（１０）に転送するステップと、
前記遠隔通信ネットワークを経由して、前記ユーザからのインタラクションコマンドを収集するステップと、
前記ソースのインタラクティブ性情報ファイルに関連する前記収集されたインタラクションコマンドを処理して、前記遠隔通信ネットワークを経由して転送された前記トランスポートストリームを制御するステップと
を具備することを特徴とする方法。
【請求項２】
プログラムストリームのトランスポートストリームへの変換は、前記マルチメディアデータソース（３）及び前記ソースのインタラクティブ性情報ファイルから取得されたマルチメディアファイルの予備の記憶ステップと、記憶されたインタラクティブ性情報ファイルに関連して、収集され、かつ、処理されたインタラクションコマンドに応答して、前記遠隔通信ネットワークを経由して転送された前記トランスポートストリームを形成する前記マルチメディアファイルの多重化ステップとを具備することを特徴とする請求項１に記載の方法。
【請求項３】
前記インタラクティブ性情報ファイルを前記トランスポートストリームのフォーマットに適応するステップと、
前記トランスポートストリーム及び前記適応されたインタラクティブ性情報ファイルを記憶するステップと
を具備し、前記収集されたインタラクションコマンドの処理は、前記記憶されたトランスポートストリームの読み取り及び転送を制御する前記インタラクティブ性情報ファイルに関連して、前記コマンドの翻訳を具備することを特徴とする請求項１に記載の方法。
【請求項４】
前記マルチメディアデータソースは、光記憶メディア（３）を具備することを特徴とする請求項１乃至４のいずれか１項に記載の方法。
【請求項５】
それぞれが少なくとも１つのプログラムストリーム及びインタラクティブ性情報ファイルを具備するマルチメディアデータソース（３）から、オンデマンドマルチメディアサービスを提供するためのサービスプラットフォーム（１、３０）であって、
少なくとも１つのソースからのプログラムストリームをトランスポートストリームに変換する手段（６、３１）と、
遠隔通信ネットワークを経由して、ユーザ端末に前記トランスポートストリームを転送する手段（２）と、
前記遠隔通信ネットワークを経由して、ユーザからインタラクションコマンドを受信する手段（２）と、
前記遠隔通信ネットワークを経由して、転送された前記トランスポートストリームを制御する前記ソースのインタラクティブ性情報ファイルに関連して、収集されたインタラクションコマンドを処理する手段（５、７、３４、３５）と
を具備することを特徴とするプラットフォーム。
【請求項６】
前記プログラムストリームをトランスポートストリームに変換する手段は、マルチメディアデータソース（３）及び前記ソースのインタラクティブ性情報ファイルから取得されたマルチメディアファイルのための予備の記憶手段（４）と、記憶されたインタラクティブ性情報ファイルに関連して、収集され、かつ、処理されたインタラクションコマンドに応答して、前記マルチメディアファイルを多重化し、前記遠隔通信ネットワークを経由して転送された前記トランスポートストリームを形成する手段（６）とを具備することを特徴とする請求項５に記載のサービスプラットフォーム。
【請求項７】
前記トランスポートストリームのフォーマットに前記インタラクティブ性情報ファイルを適応する手段（３３）と、前記トランスポートストリーム及び前記適応されたインタラクティブ性情報ファイルを記憶する手段（３２）とを具備し、前記収集されたインタラクションコマンドを処理する手段が前記記憶されたトランスポートストリームの読み取り及びを制御し、かつ、前記転送手段（２）を供給する前記インタラクティブ性情報ファイルに関連して、前記コマンドを翻訳する手段（７）を具備することを特徴とする請求項５に記載のサービスプラットフォーム。
【請求項８】
それぞれが少なくとも１つのプログラムストリーム及びインタラクティブ性情報ファイルを具備している、マルチメディアデータソースからオンデマンドマルチメディアサービスを提供するためのサービスプラットフォーム（１、３０）で実行するコンピュータプログラムであって、前記プログラムは、前記プログラムが前記プラットフォームの処理ユニットによって実行される時、
遠隔通信ネットワークを経由して、少なくとも１つのソースからのプログラムストリームの変換によって、取得されたトランスポートストリームをユーザ端末に転送するステップと、
前記遠隔通信ネットワークを経由して、前記ユーザからのインタラクションコマンドを収集するステップと、
前記遠隔通信ネットワークを経由して、転送された前記トランスポートストリームを制御する前記ソースのインタラクティブ性情報ファイルに関連して、前記収集されたインタラクションコマンドを処理するステップと、
を制御する命令を具備することを特徴とするプログラム。
【請求項９】
前記マルチメディアデータソース（３）及び前記ソースの前記インタラクティブ性情報ファイルから取得されたマルチメディアファイルが予め記憶され、前記プログラムはまた、前記記憶されたマルチメディアファイルを多重化して、前記遠隔通信ネットワークを経由して送信された前記トランスポートストリームを形成するための命令を具備することを特徴とする請求項８に記載のプログラム。
【請求項１０】
前記インタラクティブ性情報ファイルが前記トランスポートストリームのフォーマットに適応され、かつ、前記トランスポートストリーム及び適応されたインタラクティブ性情報ファイルがはじめに記憶され、前記収集されたインタラクションコマンドの処理は、前記読み取り及び前記記憶されたトランスポートストリームの前記転送を制御する前記インタラクティブ性情報ファイルに関連して前記コマンドの翻訳を実行することを特徴とする請求項８に記載のプログラム。
【請求項１１】
遠隔通信ネットワークを経由して、オンデマンドマルチメディアサービス（１、３０）を供給するプラットフォームを備えた通信インターフェース（１１）と、
インタラクティブメニュー、前記トランスポートストリームの符号化、及び、前記要求されたプログラムの記憶を具備する、ユーザによって要求されたプログラムを代表するトランスポートストリームを受信する手段（１２）と、
前記インタラクティブメニューに関連にして、前記ユーザからのインタラクションコマンドを受信し、かつ、前記遠隔通信ネットワークを経由して、前記プラットフォーム（１、３０）に前記コマンドを反映するメッセージを送信する手段（１３−１４）と
を具備することを特徴とする請求項１乃至４のいずれか１項に記載の方法を実行するように適合されたデジタルテレビデコーダ（１０）。
【請求項１２】
デジタルテレビデコーダ（１０）でマルチメディアデータを処理する方法であって、
オンデマンドマルチメディアサービス（１、３０）を供給するプラットフォームから、遠隔通信ネットワークを経由して、ユーザによって要求されたプログラムを表示し、インタラクティブメニューを具備するトランスポートストリームを受信するステップと、
前記トランスポートストリームを符号化し、かつ、前記要求されたプログラムを記憶するステップと、
前記インタラクティブメニューに関連して、ユーザからのインタラクションコマンドを受信するステップと、
前記遠隔通信ネットワークを経由して、前記コマンドを反映するメッセージを転送するステップであって、前記メッセージは、前記遠隔通信ネットワークを経由して転送された前記トランスポートストリームを制御する前記プログラムに関するインタラクティブ性情報ファイルに関連して、前記プラットフォームによる処理に適合している、転送するステップと
を具備することを特徴とする方法。
【請求項１３】
デジタルテレビデコーダ（１０）に実装するコンピュータプログラムであって、前記プラットフォームの処理ユニットによって前記プログラムが実行される時、
オンデマンドマルチメディアサービスを提供するプラットフォームから、遠隔通信ネットワークを介して、ユーザによって要求されたプログラムを提示し、インタラクティブメニューを具備するトランスポートストリームを受信するステップと、
前記トランスポートストリームを符号化し、かつ、前記要求されたプログラムを記憶するステップと、
前記インタラクティブメニューに関連して、ユーザからのインタラクションコマンドを受信するステップと、
前記遠隔通信ネットワークを経由して、前記コマンドを反映するメッセージを転送するステップであって、前記メッセージは、前記遠隔通信ネットワークを経由して前記転送されたトランスポートストリームを制御する前記プログラムに関するインタラクティブ性情報ファイルに関連して、前記プラットフォームによる処理に適合している、転送するステップと
を制御する命令を具備することを特徴とするコンピュータプログラム。
【発明の詳細な説明】
【技術分野】
【０００１】
本発明は、遠隔通信ネットワークを経由したオンデマンドマルチメディアサービスの提供に関する。その応用技術の１特定分野は、広く使用される１つの標準規格がＭＰＥＧ２であるデジタルテレビに関する応用技術である。
【背景技術】
【０００２】
前記ＭＰＥＧ２システム標準規格は、２種類の多重化されたデジタルストリームを定義する。すなわち、トランスポートストリーム（ＴＳ）とプログラムストリーム（ＰＳ）である。「プログラム」は、１組の時間に関連した基本ストリームとして定義される。すなわち、ストリームがそれぞれに情報を運搬して、共通時間ベースに対して記憶されている。ＰＳストリームは、単一プログラムを、比較的長く、かつ、可能な限り多様な長さのパケットの形態で運搬している。プログラムストリーム（ＰＳ）は、一般に、ディスク上にプログラムを記憶するために使用されている。トランスポートストリーム（ＴＳ）は、１又は複数のプログラムに属する固定長のパケットを具備し、かつ、転送又はネットワーク上で放送するために使用されている。
【０００３】
これらの多重化ストリームＴＳ、ＰＳは、パケット化要素ストリーム（packetized elementary stream：ＰＥＳ）から構築されている。ビデオ又はオーディオの符号化から直接導出される生の要素ストリーム（ＥＳ）は、まず、多様な長さのＰＥＳパケットとしてフォーマットされる。次いで、ＰＥＳストリームは、ＴＳ又はＰＳパケットから分割されて、多重化される。
【０００４】
ＭＰＥＧ２標準規格は、特に、ＤＶＤ（Digital Versatile Disk）及びＤＶＢ（Digital Video Broadcast）などのいくつかのマルチメディアコンテンツ配信システムに使用されている。
【０００５】
ＤＶＤは、プログラムがＰＳストリームパケットに対応するいわゆるＶＯＢ（Video Object Block）ファイルに記憶されている、光記憶媒体ディスクである。いわゆるＩＦＯファイルもまた、ディスク上に記憶され、かつ、チャプタ、サブタイトルトラック及びサウンドトラック上に情報を具備している。ＩＦＯファイルは、ユーザに、特に言語又はサブタイトルの選択、時折、カメラ角度の選択、メインメニュー及び中間メニューへのアクセス、プログラムのチャプタの中で早送り又は巻戻しするなどのブラウジング及びインタラクティブ性要素を提供することを可能にする。
【０００６】
したがって、ＤＶＤでは、音、画像及びサブタイトルを含むマルチメディアコンテンツ（ＶＯＢ）は、多様なメニュー間のツリー構造（ＩＦＯ）から分離されている。ＤＶＤのインタラクティブ性は、ビデオシーケンスのディスプレイに基づいている。ＩＦＯファイルは、通常、ユーザのリモートコントロールを使用して、ユーザによって起動されるアクションに基づき、記憶されているビデオの部分を選択することを可能にする。多様なビデオの部分の連続は、ナビゲーション式ツリー構造を介して、インタラクティブ性を生成する。ＤＶＤプレーヤは、事前の選択に基づくＩＦＯファイルに従うツリー構造によって動作することを可能にする、あらゆる情報を記録する５つの１６ビットレジスタを有する。
【０００７】
ＤＶＢは、デジタルテレビを放送する標準規格である。ストリームは、ＴＳフォーマットで放送され、それは所定の帯域幅でいくつかのプログラムを送信することを可能にする。したがって、ユーザはチャンネル名称、現在のプログラム名称などの情報を説明するチャンネル及びテーブルの「ブーケ（bouquet）」を受信する。これらのテーブルによって、ユーザは、ディスプレイされるチャンネルを局所的に選択することを可能にする。
【０００８】
ＤＶＢはまた、特に、ＡＤＳＬ（Asymmetric Digital Subscriber Line）タイプの遠隔通信ネットワーク上でデジタルテレビを配信することに使用されている。本応用技術では、通常、暗号化がＴＳレベルでなされている各チャンネル（ＳＰＴＳストリーム：「単一プログラムトランスポートストリーム（Single Program Transport Stream)」）に、ＴＳストリームが形成されている。コンテンツをディスプレイするには、ユーザのデコーダはＴＳストリームを受信しなければならない。
【０００９】
ビデオオンデマンド（ＶＯＤ）サービスもまた、ＤＶＢ標準規格を使用している。本応用技術では、遠隔通信ネットワークはインターネットプロトコル（ＩＰ）をサポートし、かつ、ＴＳストリームは、ポイントツーポイントモードで放送されている。いったん要求されたプログラムの転送が開始すると、ユーザは、再生、停止及び早送り又は巻戻し機能を実行することができる。これらの機能は、トランスポートストリームの中での現在位置に対する移動に相当する。
【発明の開示】
【発明が解決しようとする課題】
【００１０】
一方で、ユーザは、マルチメディアコンテンツのシーンブレークダウンに関連する機能へのアクセス権を持たない。すなわち、ＤＶＤを見る時、話される言語又はサブタイトルの選択、カメラ角度の選択などをカスタマイズすることができない。したがって、ＶＯＤサービスのインタラクティブ性は、まだ非常に限定されている。
【００１１】
今日、一部のＶＯＤの提供は、要求されたプログラムの転送後、ユーザにＤＶＤを送信することを具備している。次いで、ＤＶＤの送信は、プログラムの初視聴ではない場合に限って、ＤＶＤのインタラクティブ性から利益を受けることができる。さらに、そのような提供は、要求されるコンテンツを２つの異なる形態でユーザに２度送信するという欠点を有している。
【００１２】
本発明の１つの目的は、オンデマンドサービス提供で転送されるプログラムのインタラクティブ性を強化することである。特に、目的は、ＤＶＤを見るときに提供されるインタラクティブ性のレベルに取り組むことである。
【課題を解決するための手段】
【００１３】
したがって、それぞれが少なくとも１つのプログラムストリーム及びインタラクティブ性情報ファイルをを具備するマルチメディアデータソースから、オンデマンドマルチメディアサービスを提供する方法がある。本発明によると、前記方法は、次のステップを具備する。
（１）少なくとも１つのソースからのプログラムストリームをトランスポートストリームに変換するステップ
（２）遠隔通信ネットワークを経由して、前記トランスポートストリームをユーザ端末に転送するステップ
（３）前記遠隔通信ネットワークを経由して、前記ユーザからのインタラクションコマンド（interaction command）を収集するステップ
（４）前記ソースのインタラクティブ性情報ファイルに関連する前記収集されたインタラクションコマンドを処理して、前記遠隔通信ネットワークを経由して転送された前記トランスポートストリームを制御するステップ
【００１４】
前記方法は、ユーザによって入力されたインタラクションコマンドを遠隔処理することによって、第２タイプの転送アーキテクチャ上の第１タイプのマルチメディアインタラクション機能をエミュレートすることを可能にする。なお、第２タイプの転送アーキテクチャは、そのような機能をサポートするように設計されていない。
【００１５】
第１タイプのマルチメディアインタラクション機能は、特に、ＤＶＤによって提供されるマルチメディアインタラクション機能であってよく、そこで、第２タイプのアーキテクチャはＤＶＢのアーキテクチャであってよい。相互に互換性がないこれら２つのシステムは、ＭＰＥＧ２標準規格のＰＥＳレベルを共有せず、それは、従来のＭＰＥＧ２デマルチプレクサ及びマルチプレクサを使用して、プログラムストリームをトランスポートストリームに変換することを可能にする。この応用技術では、要求されるインタラクティブ性をユーザに提供するために、インタラクティブ性情報ファイルはＤＶＤサービスプラットフォームに対応する。通常、ＤＶＤの符号化レベルは、ＤＶＢデジタルテレビの符号化レベルより大きいので、他の成果は、より広い帯域幅消費に相当する代償を払って、記憶されたビデオ及びオーディオコンテンツのよりよい品質を得られることである。
【００１６】
前記方法は、有利に、フィルム（マルチアングル、チャプタ構造など）のインタラクティブコンテンツ、ＤＶＤ（ボーナス、ゲーム、メーキング、トレイラーズなど）のインタラクティブコンテンツ、全てのタイプのＤＶＤ上に存在するゲーム、全てのタイプのＤＶＤ上に存在する教育的なゲームコンテンツ、及び、一般に、全てのタイプのＤＶＤシステムによって提供されるインタラクティブ性を利用するコンテンツを遠隔操作することを可能にする。
【００１７】
前記方法の第１構成態様では、トランスポートストリームを構築するための多重化処理はオンザフライで実行される。次いで、プログラムストリームのトランスポートストリームへの変換は、マルチメディアデータソース及び前記ソースのインタラクティブ性情報ファイルから取得されたマルチメディアファイルの予備の記憶(preliminary storage)ステップと、記憶されたインタラクティブ性情報ファイルに関連して、収集され、かつ、処理されたインタラクションコマンドに応答して、遠隔通信ネットワークを経由して転送されたトランスポートストリームを形成する前記マルチメディアファイルの多重化ステップとを具備している。
【００１８】
マルチメディアファイルは、特に、ＰＳストリームパケットに対応することができる。フェーズをコピーしているプログラムストリームは、本構成態様では、非常にシンプルである。ＤＶＤ上で利用可能なコンテンツに関する本発明の応用技術では、トランスポートストリームのオンザフライ多重化は、ＩＦＯファイルを標準的なＤＶＤプレーヤと同じ方法で翻訳することを可能にする。
【００１９】
他の構成態様では、トランスポートストリームの構造は最初に実行されて、インタラクティブ性情報ファイルは変換されて、トランスポートストリームのフォーマットに適応される。次いで、前記方法は、インタラクティブ性情報ファイルのトランスポートストリームのフォーマットに対する適応ステップと、トランスポートストリーム及び適応されたインタラクティブ性情報ファイルの記憶ステップとを具備し、かつ、収集されたインタラクションコマンドの処理は、記憶されたトランスポートストリームの読み取り及び転送を制御するインタラクティブ性情報ファイルに関連して、前記コマンドの翻訳ステップを具備している。
【００２０】
本構成態様は、高い演算能力を要求するリアルタイム再多重化処理を除外するので、サービスプラットフォームの複雑さを縮減する。
【００２１】
本発明の他の構成態様は、それぞれが少なくとも１つのプログラムストリーム及びインタラクティブ性情報ファイルを具備するマルチメディアデータソースから、オンデマンドマルチメディアサービスの提供のためのサービスプラットフォームに関する。本プラットフォームは、（１）少なくとも１つのソースからのプログラムストリームをトランスポートストリームに変換する手段と、（２）遠隔通信ネットワークを経由して、ユーザ端末にトランスポートストリームを転送する手段と、（３）遠隔通信ネットワークを経由して、ユーザからインタラクションコマンドを受信する手段と、（４）遠隔通信ネットワークを経由して、転送されたトランスポートストリームを制御する前記ソースのインタラクティブ性情報ファイルに関連して、収集されたインタラクションコマンドを処理する手段とを具備している。
【００２２】
本発明のさらに他の構成態様は、それぞれが少なくとも１つのプログラムストリーム及びインタラクティブ性情報ファイルを具備している、マルチメディアデータソースからのオンデマンドマルチメディアサービスの提供のためのサービスプラットフォームで実行するコンピュータプログラムに関する。前記プログラムは、前記プログラムがプラットフォームの処理ユニットによって実行される時、次のステップを制御する命令を具備している。
（１）遠隔通信ネットワークを経由して、少なくとも１つのソースからのプログラムストリームの変換によって、取得されたトランスポートストリームをユーザ端末に転送するステップ
（２）遠隔通信ネットワークを経由して、ユーザからのインタラクションコマンドを収集するステップ
（３）遠隔通信ネットワークを経由して、転送されたトランスポートストリームを制御する前記ソースのインタラクティブ性情報ファイルに関連して、前記収集されたインタラクションコマンドを処理するステップ
【００２３】
本発明はまた、デジタルテレビデコーダに関し、
（１）遠隔通信ネットワークを経由して、オンデマンドマルチメディアサービスを供給するプラットフォームを備えた通信インターフェースと、
（２）インタラクティブメニュー、トランスポートストリームの符号化、及び、要求されたプログラムの記憶を具備する、ユーザによって要求されたプログラムを代表するトランスポートストリームを受信する手段と、
（３）前記インタラクティブメニューに関連にして、ユーザからのインタラクションコマンドを受信し、かつ、遠隔通信ネットワークを経由して、プラットフォームに前記コマンドを反映するメッセージを送信する手段と
を具備している。
【００２４】
本発明はまた、デジタルテレビデコーダでマルチメディアデータを処理する方法に関し、次のステップを具備する。
（１）オンデマンドマルチメディアサービスを供給するプラットフォームから、遠隔通信ネットワークを介して、ユーザによって要求されたプログラムを表示し、インタラクティブメニューを具備するトランスポートストリームを受信するステップ
（２）トランスポートストリームを符号化し、かつ、要求されたプログラムを記憶するステップ
（３）前記インタラクティブメニューに関連して、ユーザからのインタラクションコマンドを受信するステップ
（４）遠隔通信ネットワークを経由して、前記コマンドを反映するメッセージを転送するステップであって、前記メッセージは、遠隔通信ネットワークを経由して転送されたトランスポートストリームを制御するプログラムに関するインタラクティブ性情報ファイルに関連して、プラットフォームによる処理に適合している、転送するステップ
【００２５】
本発明の他の構成態様は、プラットフォームの処理ユニットによってプログラムが実行されるとき、次のステップを制御する命令を具備する、デジタルテレビデコーダに実装されるコンピュータプログラムに関する。
（１）オンデマンドマルチメディアサービスを提供するプラットフォームから、遠隔通信ネットワークを介して、ユーザによって要求されたプログラムを提示し、インタラクティブメニューを具備するトランスポートストリームを受信するステップ
（２）トランスポートストリームを符号化し、かつ、前記要求されたプログラムを記憶するステップ
（３）前記インタラクティブメニューに関連して、ユーザからのインタラクションコマンドを受信するステップ
（４）遠隔通信ネットワークを経由して、前記コマンドを反映するメッセージを転送するステップであって、前記メッセージは、遠隔通信ネットワークを経由して転送されたトランスポートストリームを制御するプログラムに関するインタラクティブ性情報ファイルに関連してプラットフォームによる処理に適合している、転送するステップ
【００２６】
本発明の他の特徴及び利点は、添付の図面を参照して、非限定的な例示的構成態様の説明から明らかとなる。
【発明を実施するための最良の形態】
【００２７】
図１を参照すると、サービスプラットフォーム１は、ユーザ端末機と通信するネットワークインターフェース２を具備している。例えば、用いられる遠隔通信ネットワークは、ＩＰオーバーＡＤＳＬネットワーク（IP-over-ADSL network）である。
【００２８】
本発明のサービスプラットフォームは、ＤＶＤ又は類似のタイプの記憶メディア３で利用可能なインタラクティブコンテンツを利用する。図１に図示された実施形態では、前記方法の予備のステップは、ハードディスクに記憶されるプラットフォームのデータベース４内にＤＶＤ（複数）のコンテンツを保存するステップを具備する。各ＤＶＤディスクにとって、データベース４は、ＰＳストリームパケット、及び、対応するインタラクティブ性情報ファイル（ＩＦＯ）を含む全てのＶＯＢファイルを記憶している。
【００２９】
プラットフォーム１はまた、ビデオオンデマンド（ＶＯＤ）サーバ５を具備している。従来、サーバ５は、トランザクションに対応する要求されたコンテンツ及びプラットフォームを選択することができるように、ビデオインターフェースをユーザに提示するように適合されている。サーバ５は、多様なユーザのＶＯＤセッションを管理し、かつ、ユーザによって要求されたコンテンツに対応するオーディオ及びビデオファイルの読み取りを制御する。本実施形態では、これらのファイルはＰＳフォーマットでデータベース４に保存され、したがって、ＶＯＤサーバ５は、ＰＳフォーマットでストリームのアドレッシングを実行することができなければならない。
【００３０】
読み取りがサーバ５によって制御される、ＰＳストリームは、ＰＳストリームをＤＶＢ転送に適合した単一プログラムのＴＳストリーム（ＳＰＴＳ）に変換する、ＭＰＥＧ２リマルチプレクサ６に送信される。ＭＰＥＧ２再多重化処理は従来どおりである。ＰＥＳパケットは、対応するタイムマーカーを備えたＰＳストリームから抽出され、次いで、後者はＴＳストリーム内でＰＥＳパケットを多重化するために使用される。
【００３１】
適切に構築されたＴＳストリームは、インターフェース２及び遠隔通信ネットワークを経由して関係するユーザに転送される。
【００３２】
図２は、ユーザが共有されたＤＶＢデコーダ１０をダイアグラム的に示している。そのネットワークインターフェース１１は、受信されたＴＳストリームを回復し、かつ、前記ＴＳストリームをＭＰＥＧ２デマルチプレクサ及びデコードモジュール１２に供給する。このモジュール１２は、ユーザのテレビ２０に供給されるオーディオ及びビデオ信号を記憶する。本発明との関連では、デマルチプレクサ及びデコードモジュール１２は標準的であってよい。
【００３３】
概して、ユーザインターフェースは、ユーザのアクションに起因して、デコーダ１０の赤外検出器１３によってピックアップされる異なる信号を送信する、赤外リモートコントロール２１を具備している。
【００３４】
デコーダ１０は、一般に、ＨＴＭＬ（HyperText Markup Language：ハイパーテキスト・マークアップ言語）ブラウザタイプの応用技術に基づく通信ソフトウェアレイヤ１４を具備している。ブラウザ１４は、検出器１３によってピックアップされた一定のユーザ制御信号を通知される。例えば、そのような信号は、停止／再生又は早送り／巻き戻しコマンドに関し、ブラウザ１４がインターフェース１１及び遠隔通信ネットワークを経由して転送されるＨＴＭＬリクエストにＨＴＴＰプロトコル（HyperText Transfer Protocol ：ハイパーテキスト転送プロトコル）に基づき、翻訳する。これらのリクエストは、ＶＯＤサーバ５上で翻訳され、かつ、データベース４内のマルチメディアストリームの読み取りに、対応する変形を引き起こす。
【００３５】
本発明によると、デコーダ１０のブラウザ１４がネットワーク上に転送されたＨＴＭＬリクエストを反映する、ユーザコマンドはまた、ＤＶＤ内で遭遇されるインタラクティブ性情報に関するインタラクションコマンドを具備している。したがって、チャプタを変更するようなコマンド、又は、スクリーン上にディスプレイされたＤＶＤメニューから選択することができるコマンドは、サービスプラットフォーム１内のＶＯＤサーバに追加されるモジュール７によって翻訳されることになる特定のＨＴＭＬリクエストの転送を引き起こす。したがって、ユーザは、ユーザが現在見ているＤＶＤのメニューのツリー構造を介してブラウジングする可能性がある。
【００３６】
インタプリタモジュール７は、現在転送されているビデオシーケンスに対応する、データベース４内に記憶されたＩＦＯファイルに関連してＨＴＭＬリクエストに受信されたインタラクションコマンドを分析する。ＩＦＯインタプリタ７は、通常、ＤＶＤプレーヤ内に遭遇されるインタプリタと類似している。ユーザのために進行中の各ＤＶＤセッションにとり、特に、それは、事前の選択に基づくＩＦＯファイルに従うツリー構造上で実行することを可能にする、５つの１６ビットストリング情報をエミュレートするためにメモリ領域を割り当てている。
【００３７】
したがって、各ユーザコマンドは、ＤＶＤのチャプタ構造に基づく、現在読み取られているストリームのアドレッシングを制御する、ユーザによって選択された言語に対応するオーディオ又は分割されたファイルを選択する、ユーザによって選択されたカメラ角度に対応するビデオ部分を選択するなどのために、翻訳することができる。
【００３８】
コマンドの翻訳の結果によって、ＶＯＤサーバ５は、リマルチプレクサ６に供給されるＰＳストリームのメモリ内の読み取りを制御する。
【００３９】
図３は、本発明のＶＯＤサービスプラットフォームの他の可能なアーキテクチャを図示する。このプラットフォーム３０では、ＴＳストリーム内にＤＶＤ３を読み取るＰＳストリームの再多重化は、ＶＯＤセッションの間にリアルタイムではなく、しかし、予備のフェーズ（preliminary phase）では、ディスク３のコンテンツを保存するために実行される。したがって、ＭＰＥＧ２リマルチプレクサ３１に速度縮減の制約条件がある。
【００４０】
したがって、マルチメディアストリームは、プラットフォーム３０のデータベース３２内にＴＳフォーマットで保存される。ＤＶＤのＩＦＯファイルに使用されるストリームのアドレッシングは、ストリームの再配列を考慮するために、変形されなければならない。この変形は、再多重化処理と並行して適応モジュール３３によってなされる。適応されたＩＦＯファイルは、対応するＴＳストリームシーケンスに関連してデータベース３２に保存される。
【００４１】
プラットフォーム３０のＩＦＯインタプリタ３４は、記憶されたＴＳストリームのＶＯＤサーバ３５アドレッシングパラメータにアドレスするために、適応されたＩＦＯファイルを使用する。本実施形態では、ＶＯＤサーバ３５は、ＴＳストリームのメモリ内の読み取りを制御する従来タイプであってもよい。
【００４２】
図３の実施形態は、市場標準のＶＯＤサーバを使用することを可能にし、かつ、演算能力の点で比較的コストがかかるリアルタイム再多重化処理を回避するという利点を有する。
【００４３】
実際には、１又は他の説明された実施形態では、本発明は、サービスプラットフォーム１、３０の１又は複数のプロセッサによって実行されるコンピュータプログラム手段によって実施されることができ、かつ、ＩＦＯファイルの翻訳及び再多重化の点で、ＶＯＤサーバ５、３５の機能を補完するように設計されることができる。
【００４４】
本発明は、ＤＶＤ及びＤＶＢ標準規格に関連して上記に説明された。当然、これはこれらの標準規格に限定されない。本発明は、特に、全てのタイプのインタラクティブコンテンツ記憶メディア（ＨＤ−ＤＶＤ、ブルーレイなど）に適用可能である。
【００４５】
また、ユーザ装置は、広く異なる形態をとることができる。例えば、デコーダ１０は、端末機の一部であってもよく、例えば、そのスクリーン及びサウンドカードがマルチメディアコンテンツを記憶することに使用され、かつ、そのユーザインターフェース（キーボード、マウスなど）がインタラクションコマンドを入力することに使用されるマイクロコンピュータであってもよい。他の実施形態では、端末機は、テレビ、セットトップボックス（set-top-box）又は電話などの移動端末機であってもよい。
【図面の簡単な説明】
【００４６】
【図１】図１は、本発明による例示的なＶＯＤサービスプラットフォームのブロック図である。
【図２】図２は、本発明による例示的なデジタルテレビデコーダの単純化されたブロック図である。
【図３】図３は、本発明によるその他の例示的なＶＯＤサービスプラットフォームのブロック図である。
【符号の説明】
【００４７】
１  サービスプラットフォーム
２  ネットワークインターフェース
３  記憶メディア
４  データベース
５  ビデオオンデマンドサーバ
６  ＭＰＥＧ２リマルチプレクサ
【図１】
2009520423.tif 000003
【図２】
2009520423.tif 000004
【図３】
2009520423.tif 000005
【国際調査報告】
2009520423.tif 000006
2009520423.tif 000007
2009520423.tif 000008
2009520423.tif 000009